(57)【要約】  通信システムにおける接続識別子（ＣＩＤ）を送受信する方法及び装置を提供する。ハンドオーバすべきことを感知すると、端末機（ＭＳ）は、ハンドオーバ要求メッセージを上記端末機と通信中である第１の基地局（ＢＳ）に送信する。上記ハンドオーバ要求メッセージを受信すると、上記第１の基地局は、上記ハンドオーバ要求メッセージに応じたハンドオーバ応答メッセージとともに、上記端末機がハンドオーバする第２の基地局への接続設定のための少なくとも１つの接続識別子を上記端末機に送信する。上記端末機は、上記ハンドオーバ応答メッセージを通じて上記接続識別子を受信する。
2010529774.tif 000002
【特許請求の範囲】
【請求項１】
通信システムにおける第１の基地局（ＢＳ）が接続識別子（ＣＩＤ）を管理する方法であって、
第１の設定値及び第２の設定値をブロードキャストするステップと、
基本接続識別子を端末機（ＭＳ）に割り当てるべきことを検出すると、前記基本接続識別子を前記端末機に割り当て、前記基本接続識別子を前記端末機に送信するステップと、
前記第１の設定値を前記基本接続識別子に加算することにより前記端末機の主管理接続識別子を割り当てるステップと、
を具備することを特徴とする方法。
【請求項２】
前記第１の設定値は、前記第１の基地局で割当て可能な基本接続識別子値の中の最大接続識別子値であることを特徴とする請求項１に記載の方法。
【請求項３】
前記端末機の主管理接続識別子を割り当てた後に、サービス接続設定要求を前記端末機から受信するステップと、
前記サービス接続設定要求を受信すると、前記基本接続識別子及び前記第２の設定値を使用して前記端末機の転送接続識別子を割り当てるステップと、をさらに具備することを特徴とする請求項１に記載の方法。
【請求項４】
前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数であることを特徴とする請求項３に記載の方法。
【請求項５】
前記転送接続識別子を割り当てた後に、追加のサービス接続設定要求を前記端末機から受信するステップと、
前記追加のサービス接続設定要求を受信すると、前記転送接続識別子から予め定められた順序で追加の転送接続識別子を前記端末機に割り当てるステップと、をさらに具備することを特徴とする請求項３に記載の方法。
【請求項６】
前記端末機の転送接続識別子を割り当てるステップは、
下記の数式を使用して前記端末機の転送接続識別子を割り当てるステップを具備することを特徴とする請求項３に記載の方法。
（数１）
第１の転送ＣＩＤ＝｛（２ｍ＋１）＋（基本ＣＩＤ−１） ｘ ａ｝
ここで、‘第１の転送ＣＩＤ’は、前記転送接続識別子を示し、‘基本ＣＩＤ’は、基本接続識別子を示し、‘ｍ’は、前記第１の設定値を示し、‘ａ’は、前記第２の設定値を示し、前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数である。
【請求項７】
前記転送接続識別子を割り当てた後に、追加のサービス接続設定要求を前記端末機から受信するステップと、
前記追加のサービス接続設定要求を受信すると、前記転送接続識別子から昇順に追加の転送接続識別子を前記端末機に割り当てるステップと、をさらに具備し、
前記端末機に割当て可能な転送接続識別子値の範囲は、下記の数式のように表現されることを特徴とする請求項６に記載の方法。
（数２）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘転送ＣＩＤ範囲’は、前記端末機に割当て可能な転送接続識別子値の範囲を示す。
【請求項８】
前記端末機が第２の基地局から前記第１の基地局へのハンドオーバを行う端末機である場合に、前記端末機が前記第２の基地局で許可した転送接続識別子に関する第１の情報を前記第２の基地局から受信するステップと、
前記第１の基地局が前記第２の基地局で許可した転送接続識別子の各々を許可することができるか否かを示す第２の情報を、前記第２の基地局を介して前記端末機に送信するステップと、をさらに具備することを特徴とする請求項１に記載の方法。
【請求項９】
前記第２の情報は、前記第１の基地局が前記第２の基地局で許可した転送接続識別子のすべてを使用することができることを示すか、又は前記第２の基地局で許可した転送接続識別子の中の少なくとも１つを使用することができないことを示し、
前記第２の情報が前記第２の基地局で許可した転送接続識別子の中の少なくとも１つを前記第１の基地局が使用することができないことを示す場合に、前記第２の情報は、前記第２の基地局で許可した転送接続識別子の各々に対する許可可能性を示すビットマップの形態で表現されることを特徴とする請求項８に記載の方法。
【請求項１０】
通信システムにおける端末機（ＭＳ）が接続識別子（ＣＩＤ）を管理する方法であって、
第１の基地局（ＢＳ）からブロードキャストされた第１の設定値及び第２の設定値を受信するステップと、
基本接続識別子割当て要求を前記第１の基地局に送信し、前記第１の基地局から割り当てられた基本接続識別子を受信するステップと、
前記第１の設定値を前記基本接続識別子に加算することにより前記端末機の主管理接続識別子を取得するステップと、
を具備することを特徴とする方法。
【請求項１１】
前記第１の設定値は、前記第１の基地局で割当て可能な基本接続識別子値の中の最大接続識別子値であることを特徴とする請求項１０に記載の方法。
【請求項１２】
前記端末機の主管理接続識別子を割り当てた後に、サービス接続設定要求を前記第１の基地局に送信するステップと、
前記基本接続識別子及び前記第２の設定値を使用して前記端末機の転送接続識別子を割り当てるステップと、をさらに具備することを特徴とする請求項１０に記載の方法。
【請求項１３】
前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数であることを特徴とする請求項１２に記載の方法。
【請求項１４】
前記転送接続識別子を割り当てた後に、追加のサービス接続設定要求を前記第１の基地局に送信するステップと、
前記追加のサービス接続設定要求を送信した後に、前記割り当てられた転送接続識別子から予め定められた順序で追加の転送接続識別子を前記端末機に割り当てるステップと、をさらに具備することを特徴とする請求項１２に記載の方法。
【請求項１５】
前記端末機の転送接続識別子を割り当てるステップは、
下記の数式を使用して前記端末機の転送接続識別子を割り当てるステップを具備することを特徴とする請求項１２に記載の方法。
（数３）
第１の転送ＣＩＤ＝｛（２ｍ＋１）＋（基本ＣＩＤ−１） ｘ ａ｝
ここで、‘第１の転送ＣＩＤ’は、前記転送接続識別子を示し、‘基本ＣＩＤ’は、基本接続識別子を示し、‘ｍ’は、前記第１の設定値を示し、‘ａ’は、前記第２の設定値を示し、前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数である。
【請求項１６】
前記転送接続識別子を割り当てた後に、追加のサービス接続設定要求を前記第１の基地局に送信するステップと、
前記追加のサービス接続設定要求を送信した後に、前記割り当てられた転送接続識別子から昇順に追加の転送接続識別子を前記端末機に割り当てるステップと、をさらに具備し、
前記端末機に割当て可能な転送接続識別子値の範囲は、下記の数式のように表現されることを特徴とする請求項１５に記載の方法。
（数４）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘転送ＣＩＤ範囲’は、前記端末機に割当て可能な転送接続識別子値の範囲を示す。
【請求項１７】
前記端末機が第２の基地局から前記第１の基地局へのハンドオーバを行う端末機である場合に、前記第１の基地局が前記第２の基地局で許可した転送接続識別子の各々を許可することができるか否かを示す情報を、前記第２の基地局を介して前記第１の基地局から受信するステップをさらに具備することを特徴とする請求項１０に記載の方法。
【請求項１８】
前記情報は、前記第１の基地局が前記第２の基地局で許可した転送接続識別子のすべてを使用することができることを示すか、又は前記第２の基地局で許可した転送接続識別子の中の少なくとも１つを使用することができないことを示し、
前記情報が前記第２の基地局で許可した転送接続識別子の中の少なくとも１つを前記第１の基地局が使用することができないことを示す場合に、前記情報は、前記第２の基地局で許可した転送接続識別子の各々に対する許可可能性を示すビットマップの形態で表現されることを特徴とする請求項１７に記載の方法。
【請求項１９】
通信システムにおける接続識別子（ＣＩＤ）を管理する装置であって、
第１の設定値及び第２の設定値をブロードキャストする送信部と、
基本接続識別子を端末機に割り当てるべきことを検出すると、前記基本接続識別子を前記端末機に割り当て、前記基本接続識別子を前記送信部に送信し、前記第１の設定値を前記基本接続識別子に加算することにより前記端末機の主管理接続識別子を割り当てる接続識別子割当部と、
を含む第１の基地局を具備することを特徴とする装置。
【請求項２０】
前記第１の設定値は、前記第１の基地局で割当て可能な基本接続識別子値の中の最大接続識別子値であることを特徴とする請求項１９に記載の装置。
【請求項２１】
前記端末機の主管理接続識別子を割り当てた後に、前記接続識別子割当部は、サービス接続設定要求を前記端末機から受信すると、前記基本接続識別子及び前記第２の設定値を使用して前記端末機の転送接続識別子を割り当てることを特徴とする請求項１９に記載の装置。
【請求項２２】
前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数であることを特徴とする請求項２１に記載の装置。
【請求項２３】
前記転送接続識別子を割り当てた後に、追加のサービス接続設定要求を前記端末機から受信すると、前記接続識別子割当部は、前記割り当てられた転送接続識別子から予め定められた順序で追加の転送接続識別子を前記端末機に割り当てることを特徴とする請求項２１に記載の装置。
【請求項２４】
前記接続識別子割当部は、下記の数式を使用して前記端末機の転送接続識別子を割り当てることを特徴とする請求項２１に記載の装置。
（数５）
第１の転送ＣＩＤ＝｛（２ｍ＋１）＋（基本ＣＩＤ−１） ｘ ａ｝
ここで、‘第１の転送ＣＩＤ’は、前記転送接続識別子を示し、‘基本ＣＩＤ’は、基本接続識別子を示し、‘ｍ’は、前記第１の設定値を示し、‘ａ’は、前記第２の設定値を示し、前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数である。
【請求項２５】
前記転送接続識別子を割り当てた後に、追加のサービス接続設定要求を前記端末機から受信すると、前記接続識別子割当部は、前記割り当てられた転送接続識別子から昇順に追加の転送接続識別子を前記端末機に割り当て、
前記端末機に割当て可能な転送接続識別子値の範囲は、下記の数式のように表現されることを特徴とする請求項２４に記載の装置。
（数６）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘転送ＣＩＤ範囲’は、前記端末機に割当て可能な転送接続識別子値の範囲を示す。
【請求項２６】
前記端末機が第２の基地局から前記第１の基地局へのハンドオーバを行う端末機である場合に、前記第２の基地局で許可した転送接続識別子に関する第１の情報を前記第２の基地局から受信し、前記第１の基地局が前記第２の基地局で許可した転送接続識別子の各々を許可することができるか否かを示す第２の情報を生成し、前記第２の情報を前記送信部に送信する生成部をさらに具備することを特徴とする請求項１９に記載の装置。
【請求項２７】
前記第２の情報は、前記第１の基地局が前記第２の基地局で許可した転送接続識別子のすべてを使用することができることを示すか、又は前記第２の基地局で許可した転送接続識別子の中の少なくとも１つを使用することができないことを示し、
前記第２の情報が前記第２の基地局で許可した転送接続識別子の中の少なくとも１つを前記第１の基地局が使用することができないことを示す場合に、前記第２の情報は、前記第２の基地局で許可した転送接続識別子の各々に対する許可可能性を示すビットマップの形態で表現されることを特徴とする請求項２６に記載の装置。
【請求項２８】
通信システムにおける接続識別子（ＣＩＤ）を管理する装置であって、
基本接続識別子と、第１の設定値と、第２の設定値とを第１の基地局（ＢＳ）から受信する受信部と、
基本接続識別子割当て要求を前記第１の基地局に送信する送信部と、
前記第１の基地局から割り当てられた基本接続識別子を前記受信部から受信し、前記第１の設定値を前記基本接続識別子に加算することにより前記端末機（ＭＳ）の主管理接続識別子を取得する接続識別子計算部と、
を含む端末機を具備することを特徴とする装置。
【請求項２９】
前記第１の設定値は、前記第１の基地局で割当て可能な基本接続識別子値の中の最大接続識別子値であることを特徴とする請求項２８に記載の装置。
【請求項３０】
前記端末機の主管理接続識別子を割り当てた後に、前記送信部がサービス接続設定要求を前記第１の基地局に送信すると、前記接続識別子計算部は、前記基本接続識別子及び前記第２の設定値を使用して前記端末機の転送接続識別子を割り当てることを特徴とする請求項２９に記載の装置。
【請求項３１】
前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数であることを特徴とする請求項３０に記載の装置。
【請求項３２】
前記転送接続識別子を割り当てた後に、前記送信部が追加のサービス接続設定要求を前記第１の基地局に送信すると、前記接続識別子計算部は、前記追加のサービス接続設定要求を送信した後に、前記割り当てられた転送接続識別子から予め定められた順序で追加の転送接続識別子を前記端末機に割り当てることを特徴とする請求項３０に記載の装置。
【請求項３３】
前記接続識別子計算部は、下記の数式を使用して前記端末機の転送接続識別子を割り当てることを特徴とする請求項３０に記載の装置。
（数７）
第１の転送ＣＩＤ＝｛（２ｍ＋１）＋（基本ＣＩＤ−１） ｘ ａ｝
ここで、‘第１の転送ＣＩＤ’は、前記転送接続識別子を示し、‘基本ＣＩＤ’は、基本接続識別子を示し、‘ｍ’は、前記第１の設定値を示し、‘ａ’は、前記第２の設定値を示し、前記第１の設定値は、前記第１の基地局で割当て可能な基本接続識別子値の中の最大接続識別子値であり、前記第２の設定値は、前記第１の基地局が端末機別に連続的に割り当てるように予約した転送接続識別子の個数である。
【請求項３４】
前記転送接続識別子を割り当てた後に、前記送信部が追加のサービス接続設定要求を前記第１の基地局に送信すると、前記追加のサービス接続設定要求を送信した後に、前記接続識別子計算部は、前記割り当てられた転送接続識別子から昇順に追加の転送接続識別子を前記端末機に割り当て、
前記端末機に割当て可能な転送接続識別子値の範囲は、下記の数式のように表現されることを特徴とする請求項３３に記載の装置。
（数８）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘転送ＣＩＤ範囲’は、前記端末機に割当て可能な転送接続識別子値の範囲を示す。
【請求項３５】
前記端末機が第２の基地局から前記第１の基地局へのハンドオーバを行う端末機である場合に、前記受信部は、前記第１の基地局が前記第２の基地局で許可した転送接続識別子の各々を許可することができるか否かを示す情報を、前記第２の基地局を介して前記第１の基地局から受信することを特徴とする請求項２８に記載の装置。
【請求項３６】
前記情報は、前記第１の基地局が前記第２の基地局で許可した転送接続識別子のすべてを使用することができることを示すか、又は前記第２の基地局で許可した転送接続識別子の中の少なくとも１つを使用することができないことを示し、
前記情報が前記第２の基地局で許可した転送接続識別子の中の少なくとも１つを前記第１の基地局が使用することができないことを示す場合に、前記情報は、前記第２の基地局で許可した転送接続識別子の各々に対する許可可能性を示すビットマップの形態で表現されることを特徴とする請求項３５に記載の装置。
【請求項３７】
通信システムにおけるサービング基地局（ＢＳ）が接続識別子（ＣＩＤ）を送信する方法であって、
ハンドオーバ要求メッセージを端末機（ＭＳ）から受信するステップと、
前記ハンドオーバ要求メッセージに応じたハンドオーバ応答メッセージを前記端末機に送信するステップと、を具備し、
前記ハンドオーバ応答メッセージは、前記端末機がハンドオーバするｋ個のターゲット基地局と前記端末機との間の接続設定のためのｋ個の第１の接続識別子と、前記端末機が前記ｋ個の第１の接続識別子を使用してｋ個の第２の接続識別子を取得するためのオフセットと、を含み、ｋは、１より大きい整数であることを特徴とする方法。
【請求項３８】
前記第１の接続識別子と前記第２の接続識別子とは相互に異なり、前記第１の接続識別子及び前記第２の接続識別子の各々は、制御信号を送受信するために割り当てられた基本識別子及び主管理接続識別子の中の１つであることを特徴とする請求項３７に記載の方法。
【請求項３９】
前記ｋ個の第１の接続識別子は、前記ｋ個のターゲット基地局からそれぞれ受信されることを特徴とする請求項３８に記載の方法。
【請求項４０】
通信システムにおける端末機（ＭＳ）が接続識別子（ＣＩＤ）を受信する方法であって、
ハンドオーバすべきことを感知すると、ハンドオーバ要求メッセージを前記端末機と通信中であるサービング基地局（ＢＳ）に送信するステップと、
前記ハンドオーバ要求メッセージに応じたハンドオーバ応答メッセージを前記サービング基地局から受信するステップと、
前記ハンドオーバ応答メッセージに含まれているｋ個の第１の接続識別子及びオフセットを使用してｋ個の第２の接続識別子を取得するステップと、を具備し、
前記ｋ個の第１の接続識別子は、前記端末機がハンドオーバする少なくともｋ個のターゲット基地局への接続設定のための接続識別子であり、前記オフセットは、前記ｋ個の第１の接続識別子を使用して前記ｋ個の第２の接続識別子を取得するための値であり、ｋは、１より大きい整数であることを特徴とする方法。
【請求項４１】
前記第１の接続識別子と前記第２の接続識別子とは相互に異なり、前記第１の接続識別子及び前記第２の接続識別子の各々は、制御信号を送受信するために割り当てられた基本識別子及び主管理接続識別子の中の１つであることを特徴とする請求項４０に記載の方法。
【請求項４２】
前記取得するステップは、
前記第１の接続識別子が基本接続識別子である場合に、前記オフセットの値を前記第１の接続識別子の値に加算することにより主管理接続識別子値を取得するステップと、
前記第１の接続識別子が主管理接続識別子である場合に、前記オフセットの値を前記第１の接続識別子の値に加算することにより基本接続識別子値を取得するステップと、を具備することを特徴とする請求項４１に記載の方法。
【請求項４３】
ターゲット基地局の中の少なくとも１つへのハンドオーバが予め定められた時間内に実行されず、前記第１の接続識別子が基本接続識別子である場合に、前記基本接続識別子の割当てを解除するステップと、
前記ターゲット基地局の中の少なくとも１つへのハンドオーバが予め定められた時間内に実行されず、前記第１の接続識別子が主管理接続識別子である場合に、前記主管理接続識別子の割当てを解除するステップと、をさらに具備することを特徴とする請求項４２に記載の方法。
【請求項４４】
通信システムにおける接続識別子（ＣＩＤ）を送信する装置であって、
ハンドオーバ要求メッセージを端末機（ＭＳ）から受信し、前記ハンドオーバ要求メッセージに応じたハンドオーバ応答メッセージを前記端末機に送信するサービング基地局（ＢＳ）を具備し、
前記ハンドオーバ応答メッセージは、前記端末機がハンドオーバするｋ個のターゲット基地局と前記端末機との間の接続設定のためのｋ個の第１の接続識別子と、前記端末機が前記ｋ個の第１の接続識別子を使用してｋ個の第２の接続識別子を取得するためのオフセットと、を含み、ｋは、１より大きい整数であることを特徴とする装置。
【請求項４５】
前記第１の接続識別子と前記第２の接続識別子とは相互に異なり、前記第１の接続識別子及び前記第２の接続識別子の各々は、制御信号を送受信するために割り当てられた基本識別子及び主管理接続識別子の中の１つであることを特徴とする請求項４４に記載の装置。
【請求項４６】
前記ｋ個の第１の接続識別子は、前記ｋ個のターゲット基地局からそれぞれ受信されることを特徴とする請求項４５に記載の装置。
【請求項４７】
通信システムにおける接続識別子（ＣＩＤ）を受信する装置であって、
ハンドオーバすべきことを感知すると、ハンドオーバ要求メッセージを端末機（ＭＳ）と通信中であるサービング基地局（ＢＳ）に送信し、前記ハンドオーバ要求メッセージに応じたハンドオーバ応答メッセージを前記サービング基地局から受信する端末機を具備し、
前記ハンドオーバ応答メッセージは、前記端末機がハンドオーバするｋ個のターゲット基地局への接続設定のためのｋ個の第１の接続識別子と、前記端末機が前記ｋ個の第１の接続識別子を使用してｋ個の第２の接続識別子を取得するためのオフセットと、を含み、ｋは、１より大きい整数であることを特徴とする装置。
【請求項４８】
前記第１の接続識別子と前記第２の接続識別子とは相互に異なり、前記第１の接続識別子及び前記第２の接続識別子の各々は、制御信号を送受信するために割り当てられた基本識別子及び主管理接続識別子の中の１つであることを特徴とする請求項４７に記載の装置。
【請求項４９】
前記第１の接続識別子が基本接続識別子である場合に、前記端末機は、前記オフセットの値を前記第１の接続識別子の値に加算することにより主管理接続識別子値を取得し、
前記第１の接続識別子が主管理接続識別子である場合に、前記端末機は、前記オフセットの値を前記第１の接続識別子の値に加算することにより基本接続識別子値を取得することを特徴とする請求項４８に記載の装置。
【請求項５０】
ターゲット基地局の中の少なくとも１つへのハンドオーバが予め定められた時間内に実行されず、前記第１の接続識別子が基本接続識別子である場合に、前記端末機は、前記基本接続識別子の割当てを解除し、
前記ターゲット基地局の中の少なくとも１つへのハンドオーバが予め定められた時間内に実行されず、前記第１の接続識別子が主管理接続識別子である場合に、前記端末機は、前記主管理接続識別子の割当てを解除することを特徴とする請求項４９に記載の装置。
【発明の詳細な説明】
【技術分野】
【０００１】
本発明は、通信システムに関し、特に、通信システムにおける接続識別子（Connection Identifier：以下、“ＣＩＤ”と称する。）を管理する装置及び方法に関する。
【背景技術】
【０００２】
通信システムにおいて、端末機（ＭＳ）は、基地局（ＢＳ）と通信するためにＢＳへの接続が設定されなければならない。ＭＳは、ＢＳへの各接続を識別するためにＢＳからＣＩＤの割当てを受ける。ＭＳは、通信システムのネットワークへの初期アクセスの間に、制御データ、すなわち、制御信号をＢＳと送受信するためにＢＳから基本ＣＩＤ及び主管理ＣＩＤの割当てを受ける。また、ＭＳは、ユーザデータの送受信のために転送ＣＩＤ（Transport CID）の割当てを受ける。
【０００３】
すなわち、この転送ＣＩＤは、接続別に１つずつ割り当てられる。したがって、１つのＭＳは、複数の転送ＣＩＤを使用してもよい。一方、この通信システムで使用されるＣＩＤは、例えば、１６ビットサイズを有し、使用用途に従って様々に分類され、ＣＩＤの用途を＜表１＞に示す。
【０００４】
【表１】
2010529774.tif 000003
【０００５】
この通信システムで使用される様々なタイプのＣＩＤが＜表１＞に示されており、その用途に従ってレンジングＣＩＤ、基本ＣＩＤ、主管理ＣＩＤ、転送ＣＩＤ、マルチキャストＣＩＤ、適応アンテナシステム（Adaptive Antenna System：以下、“ＡＡＳ”と称する。）初期レンジングＣＩＤ、マルチキャストポーリングＣＩＤ、標準モードマルチキャストＣＩＤ、スリープモードマルチキャストＣＩＤ、アイドルモードマルチキャストＣＩＤ、フラグメンタブルブロードキャストＣＩＤ、パッディングＣＩＤ、及びブロードキャストＣＩＤに分類されることができる。
【０００６】
また、ＢＳは、基本ＣＩＤ、主管理ＣＩＤ、転送ＣＩＤ、マルチキャストＣＩＤ、及びマルチキャストポーリングＣＩＤを各ＭＳに割り当てることができる。このＣＩＤの中で、このマルチキャストＣＩＤ及びマルチキャストポーリングＣＩＤは、複数のＭＳに共通に割り当てられる。しかしながら、基本ＣＩＤ及び主管理ＣＩＤは、ＭＳごとに固有に割り当てられる。
【０００７】
レンジングＣＩＤは、ＭＳがＢＳにアクセスし、初期レンジングを試みる際に使用されるＣＩＤである。
【０００８】
基本ＣＩＤ及び主管理ＣＩＤは、各ＭＳがＢＳにアクセスする場合にＢＳから基本的に割り当てられるＣＩＤである。マルチキャストポーリングＣＩＤは、予め定められた特定のＭＳが共通に使用するＣＩＤである。パッディングＣＩＤは、‘パッディング’を示すためにＭＳ及びＢＳが共通に使用するＣＩＤである。ブロードキャストＣＩＤは、対応するＣＩＤを含むメッセージがブロードキャストメッセージであることをＢＳがＭＳに通知するために使用されるＣＩＤである。
【０００９】
一般的に、ＢＳからＭＳに割り当てられたＣＩＤは、１つのＢＳ内で固有の値を有し、ＭＳがＢＳのサービス領域から他のＢＳのサービス領域に移動すると、ＭＳは、この新規ＢＳから新たなＣＩＤの割当てを受けなければならない。
【００１０】
この後、ＭＳのサービスアクセスポイントの変更によるハンドオーバの間に、ＢＳ及びＭＳがこの基本ＣＩＤ及び主管理ＣＩＤを送受信する動作は、次の通りである。
【００１１】
図１は、一般的な通信システムにおけるＣＩＤ送受信を示すシグナリング図である。ここでは、ＭＳがハンドオーバする場合を一例に挙げて説明する。
【００１２】
図１を参照すると、通信システムは、ＭＳ１１０と、第１のＢＳ１２０と、第２のＢＳ１３０とを含む。第１のＢＳ１２０は、通信サービスをＭＳに提供しているサービングＢＳであり、第２のＢＳ１３０は、ＭＳ１１０がハンドオーバするターゲットＢＳであると仮定する。
【００１３】
ステップ１１１で、第１のＢＳ１２０は、ダウンリンクチャネルディスクリプタ（Downlink Channel Descriptor：以下、“ＤＣＤ”と称する。）メッセージをＭＳ１１０に送信する。このＤＣＤメッセージは、第１のＢＳ１２０がブロードキャストするメッセージである。
【００１４】
このＤＣＤメッセージを受信すると、ステップ１１３で、ＭＳ１１０は、レンジング要求（Ranging-Request：以下、“ＲＮＧ-ＲＥＱ”と称する。）メッセージを第１のＢＳ１２０に送信する。ＭＳ１１０は、呼接続のための基本情報をＲＮＧ-ＲＥＱメッセージを介して第１のＢＳ１２０に送信する。
【００１５】
ステップ１１５で、第１のＢＳ１２０は、ＲＮＧ-ＲＥＱメッセージに応じたレンジング応答（Ranging Response：以下、“ＲＮＧ-ＲＳＰ”と称する。）メッセージをＭＳ１１０に送信する。この際に、第１のＢＳ１２０は、初期アクセスのための制御信号を送受信するために、基本ＣＩＤをＲＮＧ-ＲＳＰメッセージとともにＭＳ１１０に送信する。例えば、基本ＣＩＤは、‘１０’と仮定する。ＭＳ１１０は、ステップ１１３乃至ステップ１１５のレンジング動作を実行することにより、第１のＢＳ１２０と同期取得及び送信電力調整の動作を実行する。
【００１６】
ステップ１１７で、ＭＳ１１０は、第１のＢＳ１２０との基本容量交渉のために加入者端末機基本容量要求（Subscriber Station Basic Capability Request：以下、“ＳＢＣ-ＲＥＱ'と称する。）メッセージを第１のＢＳ１２０に送信する。ＳＢＣ-ＲＥＱメッセージは、ＭＳ１１０に使用可能な変調方式及び／又は符号化方式に関する情報を含む。
【００１７】
ステップ１１９で、第１のＢＳ１２０は、ＳＢＣ-ＲＥＱメッセージに応じた加入者端末機基本容量応答（Subscriber Station Basic Capability Response：以下、“ＳＢＣ-ＲＳＰ”と称する。）メッセージをＭＳ１１０に送信する。この際に、第１のＢＳ１２０は、ＳＢＣ-ＲＥＱメッセージに含まれているＭＳ１１０に使用可能な変調方式及び／又は符号化方式に関する情報を確認する。
【００１８】
ＳＢＣ-ＲＥＱメッセージ及びＳＢＣ-ＲＳＰメッセージは、ＭＳ１１０が第１のＢＳ１２０と基本容量交渉のために送受信する媒体アクセス制御（Medium Access Control：以下、“ＭＡＣ”と称する。）メッセージの一種である。
【００１９】
ステップ１２１で、ＭＳ１１０は、登録要求（Registration Request：以下、“ＲＥＧ-ＲＥＱ”と称する。）メッセージを第１のＢＳ１２０に送信する。ＲＥＧ-ＲＥＱメッセージを受信すると、第１のＢＳ１２０は、ＲＥＧ-ＲＥＱメッセージに含まれているＭＳ登録情報を検出することによりＭＳ１１０を第１のＢＳ１２０に登録させる。
【００２０】
ステップ１２３で、第１のＢＳ１２０は、ＲＥＧ-ＲＥＱメッセージの受信に応じて登録されたＭＳ１１０の登録情報が含まれている登録応答（Registration Response：以下、“ＲＥＧ-ＲＳＰ”と称する。）メッセージをＭＳ１１０に送信する。この際に、第１のＢＳ１２０は、初期アクセスのための制御信号を送受信するために、主管理ＣＩＤをＲＮＧ-ＲＳＰメッセージとともにＭＳ１１０に送信する。例えば、主管理ＣＩＤは、‘１１０’と仮定する。
【００２１】
ステップ１２５で、ＭＳ１１０は、基本ＣＩＤ（＝１０）及び主管理ＣＩＤ（＝１１０）を使用して第１のＢＳ１２０への接続を設定する。ＭＳ１１０は、第１のＢＳ１２０とユーザデータを送受信するために追加で転送ＣＩＤの割当てを受ける。
【００２２】
一方、ハンドオーバしなければならないことを感知すると、ＭＳ１１０は、ステップ１２７で、ハンドオーバ要求（Handover request：以下、“ＨＯ-ＲＥＱ”と称する。）メッセージを第１のＢＳ１２０に送信する。ステップ１２９で、第１のＢＳ１２０は、ＨＯ-ＲＥＱメッセージに応じたハンドオーバ応答（Handover response：以下、“ＨＯ-ＲＳＰ”と称する。）メッセージを第１のＢＳ１２０に送信する。ＨＯ-ＲＳＰメッセージは、ＭＳ１１０がハンドオーバするターゲットＢＳ（例えば、第２のＢＳ１３０）に関する情報を含む。ＭＳ１１０は、ＨＯ-ＲＳＰメッセージに含まれている情報に基づいて第２のＢＳ１３０にハンドオーバするか否かを決定する。ＭＳ１１０が第２のＢＳ１３０にハンドオーバすることを決定すると、ＭＳ１１０は、ステップ１３１で、第２のＢＳ１３０にハンドオーバすることを示すハンドオーバ指示（Handover Indication：以下、“ＨＯ-ＩＮＤ”と称する。）メッセージを第１のＢＳ１２０に送信した後に、ステップ１３３で、ＲＮＧ-ＲＥＱメッセージをハンドオーバターゲットＢＳ（すなわち、第２のＢＳ１３０）に送信する。
【００２３】
ステップ１３５で、第２のＢＳ１３０は、ＲＮＧ-ＲＥＱメッセージに応じたＲＮＧ-ＲＳＰメッセージをＭＳ１１０に送信する。ＲＮＧ-ＲＳＰメッセージは、ＭＳ１１０のＣＩＤをアップデートするための基本ＣＩＤ及び主管理ＣＩＤを含む。第２のＢＳ１３０は、ＭＳ１１０に割り当て、アップデートした基本ＣＩＤ及び主管理ＣＩＤを介して第２のＢＳ１３０の制御データ、すなわち、制御信号を送受信することができる。例えば、基本ＣＩＤは、‘０’であり、主管理ＣＩＤは、‘４３０’であると仮定する。第２のＢＳ１３０からＲＮＧ-ＲＳＰメッセージを受信した後に、ＭＳ１１０は、ＲＮＧ-ＲＳＰメッセージに含まれているＣＩＤを使用してＣＩＤアップデート（基本ＣＩＤ及び主管理ＣＩＤ）を実行する。この後に、ステップ１３７で、ＭＳ１１０と第２のＢＳ１３０との間で接続が設定される。
【００２４】
ＭＳ１１０は、このＣＩＤアップデートを実行した後に、第２のＢＳ１３０と制御データ、すなわち、制御信号を送受信し、後で転送ＣＩＤの割当てを介してユーザデータ送受信を実行することができる。
【００２５】
上述したように、ＣＩＤは、各ＢＳが対応するＢＳと現在通信しているＭＳに割り当てる値であり、ＭＳは自身の現在のＢＳから新規ＢＳに接続する場合に、新規ＢＳから新たなＣＩＤ値の割当てを受けなければならない。
【００２６】
言い換えれば、ハンドオーバを実行するか又は新たに通信を再開するＭＳは、ターゲットＢＳ又は自身の新規ＢＳからＣＩＤの割当てを受けた後に、このＣＩＤをアップデートすることによりデータ送受信を実行することができる。しかしながら、一般的に、ＭＳがＣＩＤをアップデートするのにかかる時間は、例えば、５０ｍｓ〜１００ｍｓである。
【００２７】
上述したように、ハンドオーバを実行するか又は新規ＢＳと通信しようとするＭＳは、新たに割り当てられたＣＩＤを取得しなければならず、このようなＣＩＤの取得は、時間遅延を引き起こすという問題点があった。
【発明の概要】
【発明が解決しようとする課題】
【００２８】
したがって、本発明は、上述した従来技術の問題点を解決するために提案されたものであり、その目的は、通信システムにおいてＭＳ及びＢＳの各々が、時間遅延が発生しないＣＩＤ管理装置及び方法を提供することにある。
【００２９】
本発明の他の目的は、通信システムにおいてＣＩＤを直接に送受信する手順なしに、ＭＳとＢＳとの間で予め設定された値を使用して対応するＣＩＤを管理する方法及び装置を提供することにある。
【課題を解決するための手段】
【００３０】
上記のような目的を達成するために、本発明の一態様によれば、通信システムにおける第１の基地局（ＢＳ）が接続識別子（ＣＩＤ）を管理する方法を提案する。上記ＣＩＤ管理方法は、第１の設定値及び第２の設定値をブロードキャストするステップと、基本接続識別子を端末機（ＭＳ）に割り当てるべきことを検出すると、上記基本接続識別子を上記端末機に割り当て、上記基本接続識別子を上記端末機に送信するステップと、上記第１の設定値を上記基本接続識別子に加算することにより上記端末機の主管理接続識別子を割り当てるステップとを具備することを特徴とする。
【００３１】
本発明の他の態様によれば、通信システムにおける端末機（ＭＳ）が接続識別子（ＣＩＤ）を管理する方法を提案する。上記ＣＩＤ管理方法は、第１の基地局（ＢＳ）からブロードキャストされた第１の設定値及び第２の設定値を受信するステップと、基本接続識別子割当て要求を上記第１の基地局に送信し、上記第１の基地局から割り当てられた基本接続識別子を受信するステップと、上記第１の設定値を上記基本接続識別子に加算することにより上記端末機の主管理接続識別子を取得するステップとを具備することを特徴とする。
【００３２】
本発明のさらに他の態様によれば、通信システムにおける接続識別子（ＣＩＤ）を管理する装置を提案する。上記ＣＩＤ管理装置は、第１の設定値及び第２の設定値をブロードキャストする送信部と、基本接続識別子を端末機に割り当てるべきことを検出すると、上記基本接続識別子を上記端末機に割り当て、上記基本接続識別子を上記送信部に送信し、上記第１の設定値を上記基本接続識別子に加算することにより上記端末機の主管理接続識別子を割り当てる接続識別子割当部とを含む第１の基地局を具備することを特徴とする。
【００３３】
本発明のさらなる他の態様によれば、通信システムにおける接続識別子（ＣＩＤ）を管理する装置を提案する。上記ＣＩＤ管理装置は、基本接続識別子と、第１の設定値と、第２の設定値とを第１の基地局（ＢＳ）から受信する受信部と、基本接続識別子割当て要求を上記第１の基地局に送信する送信部と、上記第１の基地局から割り当てられた基本接続識別子を上記受信部から受信し、上記第１の設定値を上記基本接続識別子に加算することにより上記端末機（ＭＳ）の主管理接続識別子を取得する接続識別子計算部とを含む端末機を具備することを特徴とする。
【００３４】
本発明のさらなる他の１つの態様によれば、通信システムにおけるサービング基地局（ＢＳ）が接続識別子（ＣＩＤ）を送信する方法を提案する。上記ＣＩＤ送信方法は、ハンドオーバ要求メッセージを端末機（ＭＳ）から受信するステップと、上記ハンドオーバ要求メッセージに応じたハンドオーバ応答メッセージを上記端末機に送信するステップとを具備し、上記ハンドオーバ応答メッセージは、上記端末機がハンドオーバするｋ個のターゲット基地局と上記端末機との間の接続設定のためのｋ個の第１の接続識別子と、上記端末機が上記ｋ個の第１の接続識別子を使用してｋ個の第２の接続識別子を取得するためのオフセットとを含み、ｋは、１より大きい整数であることを特徴とする。
【００３５】
本発明のさらにまた他の態様によれば、通信システムにおける端末機（ＭＳ）が接続識別子（ＣＩＤ）を受信する方法を提案する。上記ＣＩＤ受信方法は、ハンドオーバすべきことを感知すると、ハンドオーバ要求メッセージを上記端末機と通信中であるサービング基地局（ＢＳ）に送信するステップと、上記ハンドオーバ要求メッセージに応じたハンドオーバ応答メッセージを上記サービング基地局から受信するステップと、上記ハンドオーバ応答メッセージに含まれているｋ個の第１の接続識別子及びオフセットを使用してｋ個の第２の接続識別子を取得するステップとを具備し、上記ｋ個の第１の接続識別子は、上記端末機がハンドオーバする少なくともｋ個のターゲット基地局への接続設定のための接続識別子であり、上記オフセットは、上記ｋ個の第１の接続識別子を使用して上記ｋ個の第２の接続識別子を取得するための値であり、ｋは、１より大きい整数であることを特徴とする。
【００３６】
本発明のさらにまた他の態様によれば、通信システムにおける接続識別子（ＣＩＤ）を送信する装置を提案する。上記ＣＩＤ送信装置は、ハンドオーバ要求メッセージを端末機（ＭＳ）から受信し、上記ハンドオーバ要求メッセージに応じたハンドオーバ応答メッセージを上記端末機に送信するサービング基地局（ＢＳ）を具備し、上記ハンドオーバ応答メッセージは、上記端末機がハンドオーバするｋ個のターゲット基地局と上記端末機との間の接続設定のためのｋ個の第１の接続識別子と、上記端末機が上記ｋ個の第１の接続識別子を使用してｋ個の第２の接続識別子を取得するためのオフセットとを含み、ｋは、１より大きい整数であることを特徴とする。
【００３７】
本発明のさらにその他の態様によれば、通信システムにおける接続識別子（ＣＩＤ）を受信する装置を提案する。上記ＣＩＤ受信装置は、ハンドオーバすべきことを感知すると、ハンドオーバ要求メッセージを端末機（ＭＳ）と通信中であるサービング基地局（ＢＳ）に送信し、上記ハンドオーバ要求メッセージに応じたハンドオーバ応答メッセージを上記サービング基地局から受信する端末機を具備し、上記ハンドオーバ応答メッセージは、上記端末機がハンドオーバするｋ個のターゲット基地局への接続設定のためのｋ個の第１の接続識別子と、上記端末機が上記ｋ個の第１の接続識別子を使用してｋ個の第２の接続識別子を取得するためのオフセットとを含み、ｋは、１より大きい整数であることを特徴とする。
【発明の効果】
【００３８】
本発明による通信システムにおいて、ＭＳが基本ＣＩＤ及び主管理ＣＩＤ割当て手順をハンドオーバする前の旧サービングＢＳで予め実行するため、ターゲットＢＳは、ハンドオーバ時点で個別の基本ＣＩＤ及び主管理ＣＩＤ割当てを実行しなくてもデータ送受信を可能とすることにより、ＣＩＤアップデートによる時間遅延を減少させることができる。また、本発明は、基本ＣＩＤ及び主管理ＣＩＤの中のいずれか１つだけでも基本ＣＩＤ及び主管理ＣＩＤをすべて取得することができ、これにより、メッセージ送受信によるオーバーヘッドを減少させることができる。
【００３９】
また、本発明によれば、各ＭＳは、基本ＣＩＤ及び主管理ＣＩＤ設定値に加えて、転送ＣＩＤ設定値を使用して主管理ＣＩＤ及び転送ＣＩＤ範囲を生成することができる。したがって、ＢＳ及びＭＳは、基本ＣＩＤだけを送受信しても主管理ＣＩＤ及び転送ＣＩＤを取得し、この取得したＣＩＤを用いてメッセージを送受信することができ、これにより、ＣＩＤ割当てのために送受信されるメッセージの負荷を減少させることができる。すなわち、ＭＳ及びＢＳは、相互間に予め定められた値を共有することにより、基本ＣＩＤだけで転送ＣＩＤを自動で取得することができる。
【図面の簡単な説明】
【００４０】
【図１】一般的な通信システムにおけるＣＩＤ送受信を示すシグナリング図である。ここで、ＭＳがハンドオーバを行うと仮定する。
【図２】本発明の第１の実施形態による通信システムにおけるＣＩＤ送受信を示すシグナリング図である。
【図３】本発明の第２の実施形態による通信システムにおけるＣＩＤ管理動作を示すシグナリング図である。
【図４】本発明の実施形態によるＢＳの構成を示すブロック図である。
【図５】本発明の実施形態によるＭＳの構成を示すブロック図である。
【発明を実施するための形態】
【００４１】
以下で説明する図１乃至図５及び本特許明細書で本発明の原理を記述するために使用される様々な実施形態は、ただ例示的なものであって、本発明の趣旨を限定するものであると解釈されてはならない。当業者であれば、本発明の原理が適切に配置された任意の無線通信システムで実現することができるものであることは自明である。
【００４２】
本発明は、通信システムにおいて、ＭＳ及びＢＳの各々で直接に接続識別子（Connection Identifier：以下、“ＣＩＤ”と称する。）を送受信する手続きなしに、対応するＣＩＤを管理する方法及び装置を提案する。
【００４３】
まず、本発明の第１の実施形態は、通信システムにおいて、ＣＩＤ、特に基本ＣＩＤ及び主管理ＣＩＤの割当て及び管理を行う方法を提案する。具体的に、第１の実施形態は、ＭＳがターゲットＢＳへのハンドオーバを実行しようとする場合のＣＩＤを取得する方法を提案する。
【００４４】
図２は、本発明の第１の実施形態による通信システムにおけるＣＩＤ送受信を示すシグナリング図である。
【００４５】
図２を参照すると、通信システムは、ＭＳ２１０と、第１のＢＳ２２０と、第２のＢＳ２３０とを含む。第１のＢＳ２２０は、通信サービスをＭＳ２１０に提供しているサービングＢＳであり、第２のＢＳ２３０は、ＭＳ２１０がハンドオーバするターゲットＢＳであると仮定する。
【００４６】
ステップ２１１で、第１のＢＳ２２０は、ダウンリンクチャネルディスクリプタ（Downlink Channel Descriptor：以下、“ＤＣＤ”と称する。）メッセージをＭＳ１１０に送信する。このＤＣＤメッセージは、第１のＢＳ２２０がブロードキャストするメッセージである。本発明において、第１のＢＳ２２０が基本ＣＩＤだけをＭＳ２１０に割り当てる場合に、このＤＣＤメッセージは、主管理ＣＩＤ値を取得するためのオフセット値を含む。すなわち、この基本ＣＩＤ値を受信すると、ＭＳ２１０は、オフセット値を基本ＣＩＤ値に適用することにより、個別の主管理ＣＩＤを受信しなくても主管理ＣＩＤを取得することができる。
【００４７】
同様に、第１のＢＳ２２０が主管理ＣＩＤだけをＭＳ２１０に割り当てる場合に、このＤＣＤメッセージは、基本ＣＩＤ値を取得するためのオフセット値を含む。すなわち、この主管理ＣＩＤ値を受信すると、ＭＳ２１０は、オフセット値を主管理ＣＩＤ値に適用することにより、個別の基本ＣＩＤを受信しなくても基本ＣＩＤを取得することができる。
【００４８】
下記の数式（１）は、オフセットを基本ＣＩＤ値に加算することにより主管理ＣＩＤを取得し、オフセットを主管理ＣＩＤ値に加算することにより基本ＣＩＤを取得する一例を示す。
【００４９】
（数１）
主管理ＣＩＤ＝基本ＣＩＤ＋主管理ＣＩＤオフセット
基本ＣＩＤ＝主管理ＣＩＤ＋基本ＣＩＤオフセット
第１のＢＳ２２０が基本ＣＩＤ及び主管理ＣＩＤをＭＳ２１０に割り当てる場合には、このオフセット値は、送信されない。
【００５０】
図２では、第１のＢＳ２２０がこの基本ＣＩＤ値をＭＳ２１０に送信し、オフセット値をこの基本ＣＩＤ値に適用することにより主管理ＣＩＤ値を取得すると仮定する。この際に、ステップ２１１のＤＣＤメッセージは、この主管理ＣＩＤを取得するために使用されるオフセット値を含み、このオフセット値は、‘１００’であると仮定する。もちろん、この適用されたオフセット値は、システム環境及び／又はユーザ設定に従って可変され得る。
【００５１】
ＤＣＤメッセージを第１のＢＳ２２０から受信するＭＳは、このブロードキャストされたＤＣＤメッセージに含まれているオフセット値を取得することにより、基本ＣＩＤの受信だけでも主管理ＣＩＤを取得することができる。このオフセット値は、各ＢＳに対して同一の値が設定されるので、第１のＢＳ２２０及び第２のＢＳ２３０は、同一のオフセット値を有する。
【００５２】
このＤＣＤメッセージを受信すると、ステップ２１３で、ＭＳ２１０は、レンジング要求（Ranging-Request：以下、“ＲＮＧ-ＲＥＱ”と称する。）メッセージを第１のＢＳ２２０に送信する。ＭＳ２１０は、ＲＮＧ-ＲＥＱメッセージを通じて呼接続のための基本情報を第１のＢＳ２２０に送信する。
【００５３】
ステップ２１５で、第１のＢＳ２２０は、ＲＮＧ-ＲＥＱメッセージに応じたレンジング応答（Ranging Response：以下、“ＲＮＧ-ＲＳＰ”と称する。）メッセージをＭＳ２１０に送信する。ここで、第１のＢＳ２２０は、初期アクセスのための制御信号の送受信のために、基本ＣＩＤをＲＮＧ-ＲＳＰメッセージとともに送信する。例えば、基本ＣＩＤは、‘１０’であると仮定する。ＭＳ２１０は、ステップ２１３乃至ステップ２１５のレンジング動作を実行することにより、第１のＢＳ２２０と同期取得及び送信電力調整の動作を実行する。
【００５４】
ステップ２１７で、ＭＳ２１０は、第１のＢＳ２２０との基本容量交渉のために加入者端末機基本容量要求（Subscriber Station Basic Capability Request：以下、“ＳＢＣ-ＲＥＱ'と称する。）メッセージを第１のＢＳ２２０に送信する。ＳＢＣ-ＲＥＱメッセージは、ＭＳ２１０に使用可能な変調方式及び／又は符号化方式に関する情報を含む。
【００５５】
ステップ２１９で、第１のＢＳ２２０は、ＳＢＣ-ＲＥＱメッセージに応じた加入者端末機基本容量応答（Subscriber Station Basic Capability Response：以下、“ＳＢＣ-ＲＳＰ”と称する。）メッセージをＭＳ２１０に送信する。この際に、第１のＢＳ２２０は、ＳＢＣ-ＲＥＱメッセージに含まれているＭＳ２１０に使用可能な変調方式及び／又は符号化方式に関する情報を確認する。
【００５６】
ＳＢＣ-ＲＥＱメッセージ及びＳＢＣ-ＲＳＰメッセージは、ＭＳ２１０が第１のＢＳ２２０と基本容量交渉のために送受信する媒体アクセス制御（Medium Access Control：以下、“ＭＡＣ”と称する。）メッセージの一種である。
【００５７】
図２に図示していないが、ＭＳ２１０は、第１のＢＳ２２０と基本容量交渉手順を実行した後に、認証キー交換のために暗号キー管理要求（Privacy Key Management Request：以下、“ＰＫＭ-ＲＥＱ”と称する。）メッセージを送信し、ＰＫＭ-ＲＥＱメッセージに応じた暗号キー管理応答（Privacy Key Management Response：以下、“ＰＫＭ-ＲＳＰ”と称する。）メッセージを受信するための動作手順を実行することができる。ＰＫＭ-ＲＥＱメッセージ及びＰＫＭ-ＲＳＰメッセージは、ＭＡＣメッセージであり、ＰＫＭ-ＲＥＱメッセージは、ＭＳ２１０の固有情報（又は、サティフィケット）を含む。第１のＢＳ２２０は、この受信したＰＫＭ-ＲＥＱメッセージからＭＳ２１０の固有情報を取得し、この固有情報を使用して認証サーバ（ＡＳ）（図示せず）と認証を実行する。第１のＢＳ２２０は、ＰＫＭ-ＲＥＱメッセージを通じてＭＳ２１０を認証し、ＭＳ２１０が認証されたＭＳである場合に、ＰＫＭ-ＲＳＰメッセージを受信する。ＰＫＭ-ＲＳＰメッセージは、ＭＳ２１０に割り当てられた認証キー（ＡＫ）及びトラフィック暗号化キー（ＴＥＫ）を含む。
【００５８】
この基本容量交渉手順を実行した後、ＭＳ２１０は、ステップ２２１で、登録要求（Registration Request：以下、“ＲＥＧ-ＲＥＱ”と称する。）メッセージを第１のＢＳ２２０に送信する。ＲＥＧ-ＲＥＱメッセージを受信すると、第１のＢＳ２２０は、ＲＥＧ-ＲＥＱメッセージに含まれているＭＳ２１０の登録情報を検出することにより、ＭＳ２１０を第１のＢＳ２２０に登録させる。
【００５９】
ステップ２２３で、第１のＢＳ２２０は、ＲＥＧ-ＲＥＱメッセージの受信に応じて登録されたＭＳ２１０の登録情報が含まれている登録応答（Registration Response：以下、“ＲＥＧ-ＲＳＰ”と称する。）メッセージを送信する。この際に、第１のＢＳ２２０は、初期アクセスのための制御信号を送受信するために、主管理ＣＩＤをＲＮＧ-ＲＳＰメッセージとともにＭＳ２１０に送信する。例えば、主管理ＣＩＤは、‘１１０’であると仮定する。
【００６０】
オフセット値がＤＣＤメッセージに含まれている場合、ＭＳ２１０は、主管理ＣＩＤ値がＲＥＧ-ＲＳＰメッセージとともに送信されなくても、オフセット値を基本ＣＩＤ値に適用することにより主管理ＣＩＤを取得することができる。
【００６１】
一方、ＭＳ２１０がオフセット値を受信する場合にも、第１のＢＳ２２０から主管理ＣＩＤ値の割当てを受けることができる。
【００６２】
ステップ２２５で、基本ＣＩＤ及び主管理ＣＩＤの割当てを受けたＭＳ２１０は、基本ＣＩＤ（＝１０）及び主管理ＣＩＤ（＝１１０）を使用して第１のＢＳ２２０への接続を設定する。ＭＳ２１０は、第１のＢＳ２２０とユーザデータを送受信するために転送ＣＩＤを追加で割り当てられることができる。転送ＣＩＤの割当ては、本発明の範囲を逸脱するので、その詳細な説明を省略する。
【００６３】
一方、ＭＳ２１０がハンドオーバしなければならないことを感知すると、ＭＳ２１０は、ステップ２２７で、ハンドオーバ要求（Handover request：以下、“ＨＯ-ＲＥＱ”と称する。）メッセージを第１のＢＳ２２０に送信する。ＭＳ２１０は、ＢＳの信号強度、信号対雑音比（Signal-to-Noise Ratio：以下、“ＳＮＲ”と称する。）、及び信号対干渉雑音比（Signal-to-Interference and Noise Ratio：以下、“ＳＩＮＲ”と称する。）を使用して、自身のハンドオーバが必要であるか否かを決定することができる。
【００６４】
ステップ２２９で、第１のＢＳ２２０は、ＭＳ２１０がハンドオーバするターゲットＢＳ（すなわち、第２のＢＳ２３０）で使用される基本ＣＩＤを、第２のＢＳ２３０とバックボーンメッセージを送受信することにより取得する。すなわち、第１のＢＳ２２０は、ハンドオーバするＭＳ２１０の基本ＣＩＤを第２のＢＳ２３０から受信することができる。例えば、このバックボーンメッセージを通じて受信した基本ＣＩＤは、‘３０’であると仮定する。
【００６５】
この基本ＣＩＤを取得すると、ステップ２３１で、第１のＢＳ２２０は、ＨＯ-ＲＥＱメッセージに応じたハンドオーバ応答（Handover response：以下、“ＨＯ-ＲＳＰ”と称する。）メッセージをＭＳ２１０に送信する。ＨＯ-ＲＳＰメッセージは、ＭＳ２１０がハンドオーバする第２のＢＳ２３０に関する情報を含む。この際に、第１のＢＳ２２０は、基本ＣＩＤ及び主管理ＣＩＤの中の少なくとも１つをＨＯ-ＲＳＰメッセージに含み、これをＭＳ２１０に送信する。例えば、基本ＣＩＤ‘３０’がＨＯ-ＲＳＰメッセージに含まれていると仮定する。ハンドオーバターゲットＢＳとして使用可能な２つ以上の候補ＢＳに関する情報がＨＯ-ＲＳＰメッセージに含まれている場合は、対応するＭＳがこの候補ＢＳで使用する基本ＣＩＤ又は主管理ＣＩＤが含まれる。
【００６６】
例えば、第１のＢＳ２２０が基本ＣＩＤを受信する場合を仮定する。この際、この候補ＢＳの数が、例えば３つである場合、ＭＳ２１０がこの候補ＢＳ別に個別の基本ＣＩＤを必要とするので、この候補ＢＳから割り当てられた３つの基本ＣＩＤが、ＨＯ-ＲＳＰメッセージに含まれる。
【００６７】
＜表２＞は、基本ＣＩＤを割り当てるためにＨＯ-ＲＳＰメッセージに含まれている基本ＣＩＤ事前割当て情報の一例を示す。
【００６８】
【表２】
2010529774.tif 000004
【００６９】
上述した＜表２＞において、基本ＣＩＤ割当て情報は、タイプ-長さ-値（Type-Length-Value：ＴＬＶ）の形態でＨＯ-ＲＳＰメッセージに挿入され、候補ＢＳ別基本ＣＩＤリストは、値の領域に含まれる。
【００７０】
一方、基本ＣＩＤ事前割当て情報は、第１のＢＳ２２０が個別のメッセージの形態でＭＳ２１０に送信することができる。
【００７１】
ＨＯ-ＲＳＰメッセージを受信すると、ＭＳ２１０は、ステップ２３３で、ＨＯ-ＲＳＰメッセージに含まれている情報に基づいて第２のＢＳ２３０へのハンドオーバを行うか否かを決定する。第２のＢＳ２３０へのハンドオーバを行うことを決定すると、ＭＳ２１０は、第２のＢＳ２３０へのハンドオーバを行うことを示すハンドオーバ指示（Handover Indication：以下、“ＨＯ-ＩＮＤ”と称する。）メッセージを第１のＢＳ２２０に送信する。第２のＢＳ２３０へのハンドオーバを決定すると、ＭＳ２１０は、ＨＯ-ＲＳＰメッセージに含まれている第２のＢＳ２３０の基本ＣＩＤ値（＝３０）及びＤＣＤメッセージに含まれている主管理ＣＩＤオフセット値（＝１００）を使用して主管理ＣＩＤ値（１３０＝３０＋１００）を取得し、この基本ＣＩＤ‘３０’及びこの主管理ＣＩＤ‘１３０'でＣＩＤアップデートを実行する。
【００７２】
ＭＳ２１０がハンドオーバする第２のＢＳ２３０をＭＳ２１０のサービングＢＳ（すなわち、第１のＢＳ２２０）が決定することを一例として説明したが、ＭＳ２１０がハンドオーバする第２のＢＳ２３０を決定することもできる。ＭＳ２１０が第２のＢＳ２３０をハンドオーバするＢＳとして決定する場合、ＭＳ２１０は、第２のＢＳ２３０をハンドオーバターゲットＢＳとして決定し、この決定された第２のＢＳ２３０に関する情報をＨＯ-ＲＥＱメッセージに含ませ、これを第１のＢＳ２２０に送信する。
【００７３】
ＨＯ-ＩＮＤメッセージを第１のＢＳ２２０に送信した後に、ステップ２３５で、ＭＳ２１０は、ＲＮＧ-ＲＥＱメッセージをハンドオーバターゲットＢＳ（すなわち、第２のＢＳ２３０）に送信する。
【００７４】
ステップ２３７で、ＭＳ２１０は、アップデートされた第２のＢＳ２３０の基本ＣＩＤ及び主管理ＣＩＤを使用して第２のＢＳ２３０への接続を設定する。第２のＢＳ２３０は、接続設定を介して第２のＢＳ２３０の制御データ、すなわち、制御信号を送受信することができる。例えば、基本ＣＩＤは‘３０’であり、主管理ＣＩＤは‘１３０’である。この基本ＣＩＤ及び主管理ＣＩＤのアップデートを実行した後に、ＭＳ２１０は、第２のＢＳ２３０と制御データ、すなわち、制御信号を送受信し、転送ＣＩＤの割当てを介してユーザデータを後で送受信することができる。この転送ＣＩＤの割当ては本発明の範囲を逸脱するので、その詳細な説明を省略する。
【００７５】
ＭＳが新規ＢＳにアクセスしない場合に、基本ＣＩＤ及び主管理ＣＩＤを割り当てたＭＳ及びＢＳの両方は、事前に割り当てられた基本ＣＩＤ及び主管理ＣＩＤの割当てを解除する。このために、ＢＳ及び各ＭＳは、基本ＣＩＤ及び主管理ＣＩＤ割当ての自動解除のためのタイマー値を内部に共有し、下記＜表３＞は、このタイマーを示す。
【００７６】
【表３】
2010529774.tif 000005
【００７７】
上述した＜表３＞は、事前に割り当てられたＣＩＤを解除するためのタイマー値を示す。このタイマーは、ＢＳとＭＳ間で共有され、このタイマー値の最小値‘ｍｉｎ’及び最大値‘ｍａｘ’は、例えば、４０ｍｓｅｃ及び１００ｍｓｅｃにそれぞれ設定される。したがって、本発明による通信システムのＢＳ及びＭＳは、上述した時間値が設定されたタイマーを内部にそれぞれ含むことができる。
【００７８】
上述したように、ハンドオーバが発生する場合に、ＭＳは、基本ＣＩＤ及び主管理ＣＩＤの割当て手順を、ハンドオーバを完了する前に旧サービングＢＳで事前に行う。したがって、ハンドオーバが実際に発生する場合に、ハンドオーバターゲットＢＳからの基本ＣＩＤ及び主管理ＣＩＤの割当てがなくてもデータ送信遅延時間を最小にすることができる。また、本発明は、ハンドオーバの間に、基本ＣＩＤだけを受信することにより主管理ＣＩＤを取得するか、又は主管理ＣＩＤだけを受信することにより基本ＣＩＤを取得し、その結果、ＭＳが基本ＣＩＤ及び主管理ＣＩＤのすべてを割り当てられる従来の方法に比べて、データ送受信オーバーヘッドを減少させる。
【００７９】
次いで、本発明の第２の実施形態は、ＭＳ及びＢＳが基本ＣＩＤを使用して主管理ＣＩＤ及び転送ＣＩＤの割当て及び管理を行う方法を提案する。
【００８０】
１番目に、ＭＳ及びＢＳは、主管理ＣＩＤ設定値（すなわち、主管理ＣＩＤのための設定値）及び基本ＣＩＤを使用して主管理ＣＩＤをそれぞれ取得する。この際、この基本ＣＩＤは、ＭＳが現在通信するＢＳから割り当てられる。例えば、ＭＳは、ＲＮＧ-ＲＥＱメッセージをＢＳに送信することによりこの基本ＣＩＤの割当てを要求し、ＲＮＧ-ＲＥＱメッセージに応じたＲＮＧ-ＲＳＰメッセージを通じて割り当てられた基本ＣＩＤをＢＳから受信する。
【００８１】
一方、主管理ＣＩＤ設定値は、各ＢＳに予め定められた値であり、上述した＜表１＞に含まれている‘ｍ’を使用する。ＭＳは、この主管理ＣＩＤ設定値を、例えば、ＤＣＤメッセージ、ＲＮＧ-ＲＳＰメッセージ、又は移動隣接ＢＳ広告（Mobile_Neighbor-Advertisement：以下、“ＭＯＢ_ＮＢＲ-ＡＤＶ”と称する。）メッセージを通じてＢＳから受信することができる。この際、この主管理ＣＩＤ設定値は、ＢＳ別に同一の値であってもよく、又はＢＳ別に異なる値であってもよい。
【００８２】
具体的に、ＭＳ及びＢＳは、下記数式（２）に示すように、基本ＣＩＤ及び主管理ＣＩＤ設定値を使用して主管理ＣＩＤをそれぞれ取得する。
【００８３】
（数２）
主管理ＣＩＤ＝基本ＣＩＤ＋ｍ
すなわち、上述した数式（２）に示すように、主管理ＣＩＤ設定値を基本ＣＩＤに加算することにより主管理ＣＩＤを取得する。
【００８４】
最後に、本発明の第３の実施形態は、ＭＳ及びＢＳが基本ＣＩＤ及び所定の転送ＣＩＤ設定値を使用して転送ＣＩＤをそれぞれ取得する方式を提案する。例えば、転送ＣＩＤ設定値は、‘ａ’であると仮定する。この転送ＣＩＤ設定値は、各ＢＳに予め定められた値である。ＭＳは、この転送ＣＩＤ設定値を、例えば、ＤＣＤメッセージ、ＲＮＧ-ＲＳＰメッセージ、又はＭＯＢ_ＮＢＲ-ＡＤＶメッセージを介してＢＳから受信する。また、転送ＣＩＤ設定値は、ＢＳ別に同一の値であってもよく、又は異なる値であってもよい。
【００８５】
具体的に、ＭＳ及びＢＳの各々は、下記数式（３）に示すように、この基本ＣＩＤ及びこの転送ＣＩＤ設定値を使用して転送ＣＩＤ割当て範囲を取得する。
【００８６】
（数３）
転送ＣＩＤ範囲＝｛（２ｍ＋１）＋（基本ＣＩＤ−１） ｘ ａ｝から｛２ｍ＋基本ＣＩＤ ｘ ａ｝まで
ここで、‘ｍ’は、オフセット値を示し、‘ａ’は、転送ＣＩＤ設定値（すなわち、第１のＢＳがＭＳ別に連続的に割り当てるように予約した転送ＣＩＤの個数である。）を示す。ここで、‘ａ’は、各ＢＳが任意に設定することができる値である。この転送ＣＩＤは、転送接続別にそれぞれ１つずつ割り当てられる。‘ｍ’及び‘ａ’は、ＢＳからＭＳに送信されなければならない情報である。したがって、基本ＣＩＤを割り当てたＢＳ及び基本ＣＩＤを割り当てられたＭＳの各々は、‘ｍ’及び‘ａ’を受信することにより主管理ＣＩＤ及び使用可能な転送ＣＩＤ割当て範囲を取得することができる。
【００８７】
例えば、ＭＳが旧ＢＳから割り当てられた転送ＣＩＤが５つであると仮定する。ＢＳ及びＭＳの各々は、これらのサイズに従って転送ＣＩＤの順序を順次に決定する。具体的に、ＭＳは、上述した数式（２）を介して取得した転送ＣＩＤ範囲内で｛（２ｍ＋１）＋（基本ＣＩＤ−１） ｘ ａ｝を使用することにより１番目の転送ＣＩＤを取得する。この後に、ＭＳは、上述した数式（２）を介して取得した転送ＣＩＤ範囲内で、１番目の転送ＣＩＤから所定の順序に従って各接続に対して転送ＣＩＤを順次に取得する。
【００８８】
また、取得した転送ＣＩＤ範囲内で第２の管理ＣＩＤを追加で割り当てる場合には、真っ先のＣＩＤ（すなわち、この取得した転送ＣＩＤ範囲内でもっとも小さい数を有するＣＩＤ）を第２の管理ＣＩＤとして優先して使用するように予約し、他のＣＩＤを２番目のＣＩＤから転送ＣＩＤとして使用することもできる。これとは反対に、もっとも大きい数を有するＣＩＤを第２の管理ＣＩＤとして優先して使用するように予約し、他のＣＩＤを２番目に大きいＣＩＤから転送ＣＩＤとして使用することもできる。
【００８９】
上述した方法を使用して、ＢＳ及びＭＳの各々は、転送ＣＩＤ割当てに基づくメッセージ送受信手順がなくても、主管理ＣＩＤ及び転送ＣＩＤを取得することができる。この転送ＣＩＤは、昇順又は降順の順序を決定し、転送ＣＩＤ範囲内で整列された転送ＣＩＤを新たなＣＩＤとして順次に割り当てることができる。
【００９０】
図３は、本発明の第２の実施形態による通信システムにおけるＣＩＤ管理動作を示すシグナリング図である。ここでは、転送ＣＩＤ範囲内で第２の管理ＣＩＤを追加で割り当てる場合について説明する。
【００９１】
図３を参照すると、通信システムは、ＭＳ３１０と、第１のＢＳ３２０と、第２のＢＳ３３０とを含む。第１のＢＳ３２０は、通信サービスをＭＳ３１０に提供しているサービングＢＳであり、第２のＢＳ３３０は、ＭＳ３１０がハンドオーバするターゲットＢＳであると仮定する。
【００９２】
ステップ３１１で、第１のＢＳ３２０は、第１のＤＣＤメッセージをＭＳ３１０に送信する。この第１のＤＣＤメッセージは、第１のＢＳ３２０でブロードキャストするブロードキャストメッセージである。この第１のＤＣＤメッセージは、主管理ＣＩＤ設定値‘ｍ’及び転送ＣＩＤ設定値‘ａ’を含む。ＭＳ３１０は、上述した数式（２）及び数式（３）に従って、この‘ｍ’及びこの‘ａ’を使用して主管理ＣＩＤ及び転送ＣＩＤ割当て範囲をそれぞれ取得する。この際に、この‘ｍ’は、‘３００’であると仮定し、この‘ａ’は、‘４０'であると仮定する。
【００９３】
この第１のＤＣＤメッセージを受信すると、ステップ３１３で、ＭＳ３１０は、呼接続のための基本情報を含む第１のＲＮＧ-ＲＥＱメッセージを第１のＢＳ３２０に送信する。
【００９４】
ステップ３１５で、第１のＢＳ３２０は、第１のＲＮＧ-ＲＥＱメッセージに応じた第１のＲＮＧ-ＲＳＰメッセージをＭＳ３１０に送信する。この第１のＲＮＧ-ＲＥＱメッセージは、第１のＢＳ３２０がＭＳ３１０に割り当てた基本ＣＩＤを含み、例えば、この基本ＣＩＤを‘１０’であると仮定する。
【００９５】
すなわち、第１のＢＳ３２０は、基本ＣＩＤをＭＳ３１０に割り当てる際に、‘ｍ’を使用して主管理ＣＩＤを取得し、基本ＣＩＤを第１のＢＳ３２０から受信すると、ＭＳ３１０も‘ｍ’を使用して主管理ＣＩＤを取得する。具体的に、第１のＢＳ３２０及びＭＳ３１０の各々は、上述した数式（２）に従って、主管理ＣＩＤ‘３１０’（１０（基本ＣＩＤ）＋３００（ｍ））を取得する。
【００９６】
主管理ＣＩＤを取得すると、ＭＳ３１０及び第１のＢＳ３２０は、初期アクセスのための制御信号を相互に送受信することができる。この際に、ＭＳ３１０及び第１のＢＳ３２０が取得した基本ＣＩＤは‘１０'であり、主管理ＣＩＤは、‘３１０'である。
【００９７】
ステップ３１３乃至ステップ３１５で、ＭＳ３１０は、第１のＢＳ３２０とレンジング動作（すなわち、同期取得及び送信電力調整の動作）を実行する。上述した手続きを介して基本ＣＩＤ及び主管理ＣＩＤを取得した後に、ＭＳ３１０は、基本ＣＩＤ（＝１０）及び主管理ＣＩＤ（＝３１０）を使用して第１のＢＳ３２０への接続を設定する。
【００９８】
ステップ３１７で、ＭＳ３１０は、ＭＳ３１０と第１のＢＳ３２０との間の基本容量交渉のために、ＳＢＣ-ＲＥＱメッセージを第１のＢＳ３２０に送信する。例えば、ＳＢＣ-ＲＥＱメッセージは、ＭＳ３１０に使用可能な変調方式及び／又は符号化方式に関する情報を含む。
【００９９】
ＳＢＣ-ＲＥＱメッセージをＭＳ３１０から受信すると、ステップ３１９で、第１のＢＳ３２０は、ＳＢＣ-ＲＥＱメッセージに応じたＳＢＣ-ＲＳＰメッセージをＭＳ３１０に送信する。ＳＢＣ-ＲＥＱメッセージは、ＭＳ３１０に使用可能な変調方式及び／又は符号化方式に関する情報を含む。ＳＢＣ-ＲＥＱメッセージ及びＳＢＣ-ＲＳＰメッセージは、ＭＳ３１０が第１のＢＳ３２０と基本容量交渉のために送受信するＭＡＣメッセージの一種である。
【０１００】
ステップ３２１で、ＭＳ３１０は、自身の登録情報を含む第１のＲＥＧ-ＲＥＱメッセージを第１のＢＳ３２０に送信する。第１のＲＥＧ-ＲＥＱメッセージを受信すると、第１のＢＳ３２０は、ＭＳ登録情報を検出し、ＭＳ３１０を第１のＢＳ３２０に登録させる。
【０１０１】
第１のＲＥＧ-ＲＥＱメッセージを受信すると、ステップ３２３で、第１のＢＳ３２０は、第１のＲＥＧ-ＲＳＰメッセージをＭＳ３１０に送信する。第１のＲＥＧ-ＲＳＰメッセージは、この登録されたＭＳの登録情報を含む。
【０１０２】
ステップ３２５で、ＭＳ３１０は、第１の動的サービス付加要求（Dynamic Service Addition Request：以下、“ＤＳＡ-ＲＥＱ”と称する。）メッセージを第１のＢＳ３２０に送信する。第１のＤＳＡ-ＲＥＱメッセージを受信すると、ステップ３２７で、第１のＢＳ３２０は、第１の動的サービス付加応答（Dynamic Service Addition Response：以下、“ＤＳＡ-ＲＳＰ”と称する。）メッセージをＭＳ３１０に送信する。この際に、第１のＢＳ３２０及びＭＳ３１０の各々は、上述した数式（３）に従って、ＭＳ３１０に割り当てられる第１の転送ＣＩＤを取得する。すなわち、ステップ３１１で取得したｍ＝３００及びａ＝４０を数式（３）に適用すると、‘９６１（（２＊３００（ｍ）＋１）＋（１０（基本ＣＩＤ）−１）＊４０（ａ））'から‘１０００（（２＊３００（ｍ））＋１０（基本ＣＩＤ）＊４０（ａ））'までの転送ＣＩＤ割当て範囲を取得することができる。ＭＳ３１０及び第２のＢＳ３３０の各々は、転送ＣＩＤ割当て範囲‘９６１−１０００'を取得し、この転送ＣＩＤ範囲内でもっとも小さい値‘９６１'を有するＣＩＤを第１の転送ＣＩＤとして割り当てる。
【０１０３】
ステップ３２９で、ＭＳ３１０は、第２のＤＳＡ-ＲＥＱメッセージを第１のＢＳ３２０に送信する。第２のＤＳＡ-ＲＥＱメッセージは、ユーザデータ送受信のための情報、すなわち、転送ＣＩＤを要求する情報を含み、この転送ＣＩＤ要求は、ステップ３２５とは異なるサービス接続の送信のための転送ＣＩＤ要求である。
【０１０４】
第２のＤＳＡ-ＲＥＱメッセージを受信すると、ステップ３３１で、第１のＢＳ３２０は、第２のＤＳＡ-ＲＳＰメッセージをＭＳ３１０に送信する。この際に、第１のＢＳ３２０及びＭＳ３１０の各々は、ステップ３２７で取得した転送ＣＩＤ範囲内で第１の転送ＣＩＤ９６１の次の値９６２を第２の転送ＣＩＤとして割り当てる。
【０１０５】
ＤＳＡ-ＲＥＱメッセージ及びＤＳＡ-ＲＳＰメッセージは、ＭＳ３１０がＢＳへの新たなサービス接続を設定する際にＢＳとＭＳとの間で送受信されるメッセージである。
【０１０６】
ステップ３３３で、第２のＢＳ３３０は、第２のＤＣＤメッセージを第２のＢＳ３３０のセル内の複数のＭＳ又は隣接ＢＳ（例えば、第１のＢＳ３２０）に送信する。第２のＤＣＤメッセージは、第２のＢＳ３３０でブロードキャストするブロードキャストメッセージであり、第１のＤＣＤメッセージのように主管理ＣＩＤ設定値‘ｍ’及び転送ＣＩＤ設定値‘ａ’を含む。ＭＳ３１０は、第２のＤＣＤメッセージに含まれている‘ｍ’及び‘ａ’を使用して主管理ＣＩＤ及び転送ＣＩＤ割当て範囲を取得することができる。この際に、‘ｍ’は、‘３００'であると仮定し、‘ａ’は、‘５０'であると仮定する。
【０１０７】
上述した第２のＤＣＤメッセージは、‘ｍ’及び‘ａ’を送受信するための一例として説明されたが、第２のＢＳ３３０は、異なるメッセージ又は個別のメッセージを構成し、これを第１のＢＳ３２０又はＭＳ３１０に送信することができる。
【０１０８】
、第２のＤＣＤメッセージを受信すると、ステップ３３５で第１のＢＳ３２０は、第２のＤＣＤメッセージが含まれているＭＯＢ_ＮＢＲ-ＡＤＶメッセージをＭＳ３１０に送信する。ＭＯＢ_ＮＢＲ-ＡＤＶメッセージは、例えば、第２のＤＣＤメッセージを含んでいるが、第２のＢＳ３３０とは異なる複数のＢＳからのＤＣＤメッセージをさらに含むこともできる。
【０１０９】
ステップ３３７で、ＭＳ３１０がハンドオーバしなければならないことを感知すると、ＭＳ３１０は、ＨＯ-ＲＥＱメッセージを第１のＢＳ３２０に送信する。
【０１１０】
ＨＯ-ＲＥＱメッセージを受信すると、ステップ３３９で、第１のＢＳ３２０は、ＨＯ-ＲＥＱメッセージに応じたＨＯ-ＲＳＰメッセージをＭＳ３１０に送信する。このＨＯ-ＲＳＰメッセージは、ＭＳ３１０がハンドオーバするターゲットＢＳ（例えば、第２のＢＳ３３０）に関する情報を含む。
【０１１１】
このＨＯ-ＲＳＰメッセージを受信すると、ＭＳ３１０は、このＨＯ-ＲＳＰメッセージに含まれている情報に基づいて、第２のＢＳ３３０にハンドオーバするか否かを決定する。ＭＳ３１０が第２のＢＳ３３０へのハンドオーバを決定すると、ＭＳ３１０は、ステップ３４１で、第２のＢＳ３３０にハンドオーバすることを示すＨＯ-ＩＮＤメッセージを第１のＢＳ３２０に送信する。このＨＯ-ＩＮＤメッセージは、第１のＢＳ３２０で使用する複数の転送ＣＩＤ、例えば、‘９６１'及び‘９６２'を追加で含むことができる。
【０１１２】
ステップ３４１で、このＨＯ-ＩＮＤメッセージを受信すると、第１のＢＳ３２０は、ステップ３４２で、ＭＳサービス情報メッセージを第２のＢＳ３３０に送信する。ＭＳサービス情報メッセージは、ＭＳ３１０が使用する複数の転送ＣＩＤ、例えば、‘９６１'及び‘９６２'を含む。また、ＭＳ３１０は、ＭＳサービス情報メッセージをＲＮＧ-ＲＥＱメッセージに含み、これを第２のＢＳ３３０に送信することができる。
【０１１３】
このＨＯ-ＩＮＤメッセージを第１のＢＳ３２０に送信した後に、ＭＳ３１０は、ステップ３４３で、第２のＲＮＧ-ＲＥＱメッセージをハンドオーバターゲットＢＳ（すなわち、第２のＢＳ３３０）に送信する。この第２のＲＮＧ-ＲＥＱメッセージは、呼接続のための基本情報を含む。
【０１１４】
ステップ３４５で、第２のＢＳ３３０は、第２のＲＮＧ-ＲＥＱメッセージに応じた第２のＲＮＧ-ＲＳＰメッセージをＭＳ３１０に送信する。この第２のＲＮＧ-ＲＥＱメッセージは、第２のＢＳ３３０がＭＳ３１０に割り当てた基本ＣＩＤを含む。ここで、基本ＣＩＤを‘１５'であると仮定する。
【０１１５】
第２のＢＳ３３０は、基本ＣＩＤをＭＳ３１０に割り当てると、ＭＯＢ_ＮＢＲ-ＡＤＶメッセージを通じて取得した第２のＢＳ２３０の‘ｍ’を使用して主管理ＣＩＤを取得する。同様に、基本ＣＩＤをＢＳから受信すると、ＭＳ３１０も‘ｍ’を使用して主管理ＣＩＤを取得する。すなわち、第２のＢＳ３３０及びＭＳ３１０の各々は、上述した数式（２）を使用して主管理ＣＩＤ‘３１５（１５（基本ＣＩＤ）＋３００（ｍ））'を取得する。ＭＳ３１０及び第２のＢＳ３３０は、主管理ＣＩＤを取得すると、初期アクセスのための制御信号を相互に送受信することができる。例えば、基本ＣＩＤは、‘１５'であると仮定し、主管理ＣＩＤは、‘３１５'であると仮定する。
【０１１６】
ステップ３４３乃至ステップ３４５で、ＭＳ３１０は、第２のＢＳ３３０とレンジング動作（すなわち、同期取得及び送信電力調整の動作）を実行する。基本ＣＩＤ及び主管理ＣＩＤの割当てを受けたＭＳ３１０は、基本ＣＩＤ（＝１５）及び主管理ＣＩＤ（＝３１５）を使用して第２のＢＳ３３０への接続を設定する。
【０１１７】
上述したように、ＭＳ３１０及び第２のＢＳ３３０は、主管理ＣＩＤのための個別の送受信手続きを実行しなくても、基本ＣＩＤ送受信手続きだけで主管理ＣＩＤを取得することができる。また、ＭＯＢ_ＮＢＲ-ＡＤＶメッセージを通じて取得した第２のＢＳ３３０の‘ａ’が使用されると、ＭＳ３１０及び第２のＢＳ３３０は、第２のＢＳ３３０で使用する新たな接続ＣＩＤを直接に選択するのに必要な転送ＣＩＤ割当て範囲を計算することができる。第１のＢＳ３２０で使用する接続ＣＩＤは、アップデートされることができる。ＭＳ３１０及び第２のＢＳ３３０の各々は、‘ａ’を使用して上述した数式（２）に従って、‘１３０１（（２＊３００（ｍ）＋１）＋１５（基本ＣＩＤ）−１）＊５０（ａ））'から‘１３５０（２＊３０００（ｍ））＋１５（基本ＣＩＤ）＊５０（ａ））'までの転送ＣＩＤ割当て範囲を取得することができる。
【０１１８】
ＭＳ３１０及び第２のＢＳ３３０の各々は、転送ＣＩＤ割当て範囲‘１３０１-１３５０'を取得し、ＭＳ３１０の第２の管理ＣＩＤ割当てのために、この転送ＣＩＤ範囲内で最も小さい値‘１３０１'であるＣＩＤを予約することができる。‘１３０１’を予約した場合、‘１３０１’を除いたＣＩＤは、次の数字‘１３０２’から転送ＣＩＤとして割り当てられる。
【０１１９】
したがって、ＭＳ３１０が前に使用した第１の転送ＣＩＤ‘９６１’は、‘１３０２’にアップデートされ、ＭＳ３１０が前に使用した第２の転送ＣＩＤ‘９６２’は、‘１３０３'にアップデートされる。ＭＳ３１０及び第２のＢＳ３３０の各々は、低い値を有する転送ＣＩＤの順に転送ＣＩＤ範囲内で複数の転送ＣＩＤを順次に割り当てる。その結果、ＭＳ３１０及び第２のＢＳ３３０は、転送ＣＩＤアップデートのための複数の転送ＣＩＤを相互に送受信しなくてもよい。
【０１２０】
上記では、第２のＢＳ３３０が、ＭＳ３１０が第１のＢＳ３２０と接続中である転送ＣＩＤをすべて使用する場合を仮定して説明した。しかしながら、第２のＢＳ３３０は、ＭＳ３１０が第１のＢＳ３２０と接続中である複数の転送ＣＩＤの中の一部だけを上述した方法を使用して、再設定（すなわち、アップデート）することができる。
【０１２１】
第２のＢＳ３３０は、ＭＳ３１０の転送ＣＩＤを選択的にアップデートするために次のＣＩＤアップデート指示情報を送信することができ、このＣＩＤアップデート指示情報を下記＜表４＞に示す。
【０１２２】
【表４】
2010529774.tif 000006
【０１２３】
上述した＜表４＞を参照すると、このタイプフィールドは、例えば、１バイトで構成され、このＣＩＤアップデート指示を示すための任意の値を使用する。
【０１２４】
長さフィールドは、値フィールドの長さを示すために使用され、任意の値に設定されてもよく、又は可変的な値を有してもよい。
【０１２５】
値フィールドは、ビットマップの形態で生成され、第２のＢＳ３３０によりＭＳ３１０に送信される。値フィールドは、ＭＳ３１０が使用中である転送ＣＩＤの中でアップデートされた転送ＣＩＤ及びアップデートされない転送ＣＩＤを含み、上記アップデートされない転送ＣＩＤに関する情報は、第２のＢＳ３３０がＭＳ３１０に許可しない転送ＣＩＤを示す拒絶された転送ＣＩＤビットマップサイズ又はビットマップを含む。例えば、この値フィールドに含まれている値が‘１１１０１１０１'であると仮定すると、ＭＳ３１０が第１のＢＳ３２０で使用した接続ＣＩＤの中で転送ＣＩＤ値が小さい順に、すなわち、１番目、２番目、３番目、５番目、６番目、及び８番目の小さい番号を使用するＣＩＤは、新たなＣＩＤとして連続的にアップデートし、４番目及び７番目の小さい番号を使用するＣＩＤは、新たなＣＩＤとしてアップデートされないことを示す。ここでは、一例として、転送ＣＩＤ値が小さい順にＣＩＤアップデートがなされたが、これとは反対に、このＣＩＤアップデートは、転送ＣＩＤ値が大きい順になされてもよい。
【０１２６】
このＣＩＤアップデート指示情報は、例えば、ＲＮＧ-ＲＳＰメッセージ又はＲＥＧ-ＲＳＰメッセージに含まれることができる。
【０１２７】
ここでは、第２のＢＳ３３０がこのＣＩＤアップデート指示情報を、例えば、タイプ-長さ-値の形態で挿入するが、ＣＩＤアップデート指示情報は、個別のメッセージの形態で生成された後にＭＳ３１０に送信されることができる。
【０１２８】
第２のＢＳ３３０がこのＣＩＤアップデート指示情報を使用する場合に、このＣＩＤアップデート指示情報は、ステップ３４５のＲＮＧ-ＲＳＰメッセージに含まれて送信されることができる。
【０１２９】
このように、第２のＢＳ３３０は、ＣＩＤアップデートを実行するＣＩＤ、すなわち、転送ＣＩＤを選択する。第２のＢＳ３３０がこの選択された転送ＣＩＤに対してアップデートを実行する場合、例えば、この選択されたＣＩＤを再整列し、転送ＣＩＤ範囲内で転送ＣＩＤをアップデートすることができる。
【０１３０】
一方、第２のＢＳ３３０は、本発明で提案されたこの転送ＣＩＤアップデートを実行しない転送ＣＩＤに対しては、接続を解除することができる。
【０１３１】
また、ＭＳ３１０は、第２のＢＳ３３０から通知された転送ＣＩＤアップデートを実行しない転送ＣＩＤに関する情報を、例えば、ＲＥＧ-ＲＥＱメッセージに含ませた後に、このＲＥＧ-ＲＥＱメッセージを第２のＢＳ３３０に送信する。ＭＳ３１０は、例えば、ＲＥＧ-ＲＳＰメッセージを通じて第２のＢＳ３３０からこのアップデートされた新たな転送ＣＩＤ情報を受信することができる。したがって、第２のＢＳ３３０が選択しない転送ＣＩＤに対して、ＭＳ３１０は、第２のＢＳ３３０でアップデートした新たな転送ＣＩＤを受信し、これらを第２のＢＳ３３０への接続設定のために使用する。
【０１３２】
ステップ３４７で、ＭＳ３１０は、自身の登録情報を含む第２のＲＥＧ-ＲＥＱメッセージを第２のＢＳ３３０に送信する。この後、第２のＲＥＧ-ＲＥＱメッセージを受信すると、第２のＢＳ３３０は、ＭＳ登録情報を検出し、ＭＳ３１０を第２のＢＳ３３０に登録させる。
【０１３３】
ステップ３４９で、第２のＲＥＧ-ＲＥＱメッセージを受信すると、第２のＢＳ３３０は、第２のＲＥＧ-ＲＳＰメッセージをＭＳ３１０に送信する。第２のＲＥＧ-ＲＳＰメッセージは、登録されたＭＳ３１０の登録情報を含む。
【０１３４】
この際に、第２のＲＥＧ-ＲＳＰメッセージは、個別の転送ＣＩＤ割当てのための情報を含まなくてもよい。また、ＢＳ及びＭＳは、この基本ＣＩＤだけを送受信することにより主管理ＣＩＤ及び転送ＣＩＤを取得し、これにより、各サービス接続別にＢＳとＭＳ間の接続設定を可能にする。
【０１３５】
図４は、本発明の好ましい実施形態によるＢＳの構成を示すブロック図である。
【０１３６】
図４を参照すると、ＢＳ４００は、ＣＩＤアップデートメッセージ生成部４０２と、ＣＩＤ割当部４０４と、送信部４０６とを含む。
【０１３７】
ＣＩＤアップデートメッセージ生成部４０２は、ＢＳ４００がＭＳに許可する転送ＣＩＤを示すビットマップと、ＢＳ４００がＭＳ３１０に許可しない転送ＣＩＤを示す拒絶された転送ＣＩＤビットマップサイズとを含むＣＩＤアップデートメッセージを生成し、これを送信部４０６に送信する。
【０１３８】
ＭＳから接続要求を受信すると、ＣＩＤ割当部４０４は、基本ＣＩＤをＭＳに割り当て、上述した数式（２）を使用して主管理ＣＩＤを計算する。また、ＣＩＤ割当部４０４は、上述した数式（３）を使用してＭＳの転送ＣＩＤ割当て範囲を取得し、ＭＳの接続要求に対応する転送ＣＩＤを順次に割り当てる。
【０１３９】
この後、送信部４０６は、ＣＩＤ割当部４０４から受信した基本ＣＩＤと、オフセット値と、転送ＣＩＤ設定値とを、図２の手続きに従って対応するメッセージの各々に含ませ、これらをＭＳに送信する。
【０１４０】
図５は、本発明の好ましい実施形態によるＭＳの構成を示すブロック図である。
【０１４１】
図５を参照すると、ＭＳ５００は、受信部５０２と、送信部５０４と、ＣＩＤ計算部５０６とを含む。
【０１４２】
受信部５０２は、図２の手続きに対応するメッセージをＢＳから受信する。この受信されたメッセージの各々は、基本ＣＩＤと、オフセット値と、転送ＣＩＤ設定値とを含み、受信部５０２は、この基本ＣＩＤと、このオフセット値と、この転送ＣＩＤ設定値とをＣＩＤ計算部５０６に送信する。その後、ＣＩＤ計算部５０６は、上述した数式（１）乃至数式（３）に従って、このオフセット値及び／又はこの転送ＣＩＤ設定値を使用して主管理ＣＩＤ及び接続別転送ＣＩＤを計算する。
【０１４３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１】
2010529774.tif 000007
【図２】
2010529774.tif 000008
【図３】
2010529774.tif 000009
【図４】
2010529774.tif 000010
【図５】
2010529774.tif 000011
【国際調査報告】
2010529774.tif 000012